(57)【要約】  映像データの通信時間を短縮するとともに、圧縮や解凍による画質の低下をなくす。  周波数の異なる複数のクロックを出力するクロック制御手段２０と、アナログデータを所定数に分割する分割手段５１０と、分割後のアナログデータのそれぞれに周波数の異なるクロックを付加するクロック付加手段（送信ブロック処理部５２０）と、クロックが付加されたアナログデータをデジタル変換して、複数のデジタル信号を生成するデジタル変換手段（Ａ／Ｄ変換部５３０）と、複数のデジタル信号を送信信号として外部に送出する送出手段（送信部７１０）とを備えた。
2010073632.tif 000002
【特許請求の範囲】
【請求項１】
周波数の異なる複数のクロックを出力するクロック制御手段と、
アナログデータを所定数に分割する分割手段と、
分割後のアナログデータのそれぞれに周波数の異なるクロックを付加するクロック付加手段と、
前記クロックが付加されたアナログデータをデジタル変換して、複数のデジタル信号を生成するデジタル変換手段と、
前記複数のデジタル信号を送信信号として外部に送出する送出手段とを備えた
ことを特徴とする送信機。
【請求項２】
前記分割後のアナログデータのそれぞれを分割データとし、
前記クロック付加手段が、前記分割データのそれぞれを所定のデータ量ごとに区分けして複数のブロックデータを生成し、一の分割データから区分けした複数のブロックデータのそれぞれに同じ周波数のクロックを付加する
ことを特徴とする請求項１記載の送信機。
【請求項３】
前記送信信号が、無線又は有線の伝送路を介して他の装置へ伝送されるときに、前記ブロックデータのそれぞれが、前記伝送路により送信可能な所定のデータ量を有する
ことを特徴とする請求項２記載の送信機。
【請求項４】
前記分割手段が、前記アナログデータにより生成される一の画像を複数の領域に分けたときの各領域に対応させて前記アナログデータを分割し、
前記クロック付加手段が、前記領域ごとにステージを設定し、これらステージのそれぞれに信号枠を設け、これら信号枠に前記ブロックデータを収め、前記ステージのそれぞれに周波数の異なるクロックを対応させ、各前記ステージごとに対応するクロックを前記ブロックデータに付加する
ことを特徴とする請求項２又は３のいずれかに記載の送信機。
【請求項５】
前記複数のクロックが、それぞれ異なる周波数であって、所定の周波数の整数倍の周波数を有した
ことを特徴とする請求項１〜４のいずれかに記載の送信機。
【請求項６】
前記ステージの周波数範囲が、０Ｈｚから、２．４ＭＨｚの整数倍の周波数までとし、
この２．４ＭＨｚの整数倍の周波数が、前記クロックにより設定された
ことを特徴とする請求項５記載の送信機。
【請求項７】
クロックを出力して前記クロック制御手段へ送る水晶発振器を複数備え、
これら複数の水晶発振器が、それぞれ周波数の異なるクロックを出力する
ことを特徴とする請求項１〜６のいずれかに記載の送信機。
【請求項８】
前記クロック制御手段が、複数の水晶発振器からクロックを入力し、前記アナログデータの種類に応じて、一又は二以上のクロックを選択し出力する
ことを特徴とする請求項７記載の送信機。
【請求項９】
外部から信号を受ける受入手段と、
前記信号を複数のデジタル信号に分配する分波器と、
前記複数のデジタル信号をアナログ変換して、複数のアナログデータとクロックに分けるアナログ変換手段と、
前記クロックの周波数にもとづいて前記複数のアナログデータを合成する合成手段とを備えた
ことを特徴とする受信機。
【請求項１０】
前記合成手段が、前記クロックの示す周波数にもとづいて、前記アナログデータを合成する順番を決める
ことを特徴とする請求項９記載の受信機。
【請求項１１】
周波数の異なる複数のクロックを出力するクロック制御手段と、
アナログデータを所定数に分割する分割手段と、
分割後のアナログデータのそれぞれに周波数の異なるクロックを付加するクロック付加手段と、
前記クロックが付加されたアナログデータをデジタル変換して、複数のデジタル信号を生成するデジタル変換手段と、
前記複数のデジタル信号を送信信号として外部に送出する送出手段と、
外部から信号を受ける受入手段と、
前記信号を複数のデジタル信号に分配する分波器と、
前記複数のデジタル信号をアナログ変換して、複数のアナログデータとクロックに分けるアナログ変換手段と、
前記クロックの周波数にもとづいて前記複数のアナログデータを合成する合成手段とを備えた
ことを特徴とする通信装置。
【請求項１２】
前記通信装置が、携帯電話機からなる
ことを特徴とする請求項１１記載の通信装置。
【請求項１３】
前記通信装置が、ＷＥＢチューナからなる
ことを特徴とする請求項１１記載の通信装置。
【請求項１４】
一又は二以上の送信機と、一又は二以上の受信機とを備え、
前記送信機が、前記請求項１〜８のいずれかに記載の送信機を含み、
前記受信機が、前記請求項９又は１０記載の受信機を含む
ことを特徴とする通信システム。
【請求項１５】
前記送信機と前記受信機との間で送受信される信号を中継する基地局を備えた
ことを特徴とする請求項１４記載の通信システム。
【請求項１６】
複数の通信装置と、これら通信装置間で送受信される信号を中継する基地局とを備え、
前記通信装置が、前記請求項１１又は１２のいずれかに記載の通信装置を含む
ことを特徴とする通信システム。
【請求項１７】
通信回線を介して映像配信装置から送信されてきた映像通信信号を受信し映像信号を出力するＷＥＢチューナと、前記映像信号にもとづく映像を表示する表示装置とを備え、
前記ＷＥＢチューナが、前記請求項１３記載の通信装置を含む
ことを特徴とする通信システム。
【請求項１８】
映像を撮影する撮影装置を備え、
前記映像配信装置が、前記撮影装置から送信されてきた撮影映像信号を受信し、この撮影映像信号を前記映像通信信号として、前記通信回線を介しＷＥＢチューナへ送信する
ことを特徴とする請求項１７記載の通信システム。
【請求項１９】
撮影対象を撮影するカメラ装置と、このカメラ装置で取り込まれた画像にもとづく撮影画像信号を入力する第一のＷＥＢチューナと、通信回線を介して前記第一のＷＥＢチューナから前記撮影画像信号を受信し第二のＷＥＢチューナへ配信する映像配信装置と、前記第二のＷＥＢチューナを介して前記撮影画像信号を入力し、この撮影画像信号にもとづく映像を表示する表示装置とを備え、
前記第一及び／又は第二のＷＥＢチューナが、前記請求項１３記載の通信装置を含む
ことを特徴とする通信システム。
【請求項２０】
周波数の異なる複数のクロックを出力する処理と、
アナログデータを所定数に分割する処理と、
分割後のアナログデータのそれぞれに周波数の異なるクロックを付加する処理と、
前記クロックが付加されたアナログデータをデジタル変換して、複数のデジタル信号を生成する処理と、
前記複数のデジタル信号を送信信号として外部に送出する処理とを有した
ことを特徴とする送信方法。
【請求項２１】
前記分割後のアナログデータのそれぞれを分割データとし、これら分割データのそれぞれを所定のデータ量ごとに区分けして複数のブロックデータを生成する処理と、
一の分割データから区分けした複数のブロックデータのそれぞれに同じ周波数のクロックを付加する処理とを有した
ことを特徴とする請求項２０記載の送信方法。
【請求項２２】
外部から信号を受ける処理と、
前記信号を複数のデジタル信号に分配する処理と、
前記複数のデジタル信号をアナログ変換して、複数のアナログデータとクロックに分ける処理と、
前記クロックの周波数にもとづいて前記複数のアナログデータを合成する処理とを有した
ことを特徴とする受信方法。
【請求項２３】
前記クロックの示す周波数にもとづいて、前記アナログデータを合成する順番を決める処理を有した
ことを特徴とする請求項２２記載の受信方法。
【発明の詳細な説明】
【技術分野】
【０００１】
本発明は、無線又は有線により信号を送信する送信機、無線又は有線により信号を受信する受信機、送信機能と受信機能とを備えた通信装置、これら送信機等を備えた通信システム、信号送信処理の手順を示す送信方法、及び、信号受信処理の手順を示す受信方法に関し、特に、映像、画像、音声、データなどを送受信する送信機、受信機、通信装置、通信システム、送信方法及び受信方法に関する。
【背景技術】
【０００２】
近年、携帯電話機は、様々なニーズに応えるために、多くの機能を備えるようになってきた。
例えば、携帯電話機は、通話機能、メール機能、カメラ機能、インタネット接続機能、電子マネー機能などが、標準装備又はオプションとして備えられている。また、近年では、地上デジタル放送の受信も行なえるようになってきている。
このように、携帯電話機は、多機能化が進められ、その性能も向上している。【０００３】
また、多機能化にともなって、携帯電話機が送受信するデータ量は、さらに増え続けている。特に、地上デジタル放送では、音声や動画の他に、文字などの情報を配信する文字放送を行っている。また、高画質の高精細度テレビジョン放送は、ＮＴＳＣ（National  Television  System  Committee）標準テレビ放送よりも２倍以上の走査線を有するため、情報量が多くなっている。【０００４】
さらに、テレビ電話機能を備えた携帯電話機が提案されている（例えば、特許文献１参照。）。
この携帯電話機によれば、高解像度化するディスプレイを有効に活用して、より高度なコミュニケーションを図ることができる。
【特許文献１】特開２００８−４８０６２号公報
【発明の開示】
【発明が解決しようとする課題】
【０００５】
しかしながら、上述した特許文献１に記載の技術においては、テレビ電話を行う場合に、映像データを圧縮して送信し、受信した映像データを解凍する処理を行っていた。これら圧縮処理や解凍処理は、元の画像状態を維持しつつデータ量を少なくする技術であり、複雑な演算処理を必要とすることから時間がかかっていた。【０００６】
特に、テレビ放送を視聴したり、テレビ電話機能を用いたりする場合には、送信側で映像を送ると、受信側でリアルタイムにその映像を受信し、画面に表示しなければならない。ところが、映像のデータ量がさらに多くなると、圧縮処理にさらに時間がかかることから、送信側での映像の取得から受信側での映像の表示までにタイムラグが生じることとなる。このため、リアルタイムに映像を表示することができなくなって、テレビ放送等の機能を十分に果たせなくなるという問題があった。【０００７】
また、映像圧縮の規格にはＭＰＥＧなどがあるが、これらは非可逆性であって、一度圧縮処理を行うと、圧縮前のデータに完全に戻すことはできない。このため、圧縮された映像データを受信側で解凍して画面表示すると、画像の粗さが目立ってしまう。特に、ディスプレイの高解像度化が進むと、却って画質の低下が顕著に表れてしまい、解像度を高くした意味が低下することとなっていた。【０００８】
本発明は、上記の事情にかんがみなされたものであり、圧縮処理や解凍処理を行わなくても、データ量の多い映像データの送受信を可能とするとともに、リアルタイムに映像データを受信でき、かつ、画質が低下することなく、高画質で映像を表示可能とする送信機、受信機、通信装置、通信システム、送信方法及び受信方法の提供を目的とする。
【課題を解決するための手段】
【０００９】
この目的を達成するため、本発明の送信機は、周波数の異なる複数のクロックを出力するクロック制御手段と、アナログデータを所定数に分割する分割手段と、分割後のアナログデータのそれぞれに周波数の異なるクロックを付加するクロック付加手段と、クロックが付加されたアナログデータをデジタル変換して、複数のデジタル信号を生成するデジタル変換手段と、複数のデジタル信号を送信信号として外部に送出する送出手段とを備えた構成としてある。【００１０】
また、本発明の受信機は、外部から信号を受ける受入手段と、信号を複数のデジタル信号に分配する分波器と、複数のデジタル信号をアナログ変換して、複数のアナログデータとクロックに分けるアナログ変換手段と、クロックの周波数にもとづいて複数のアナログデータを合成する合成手段とを備えた構成としてある。【００１１】
また、本発明の通信装置は、周波数の異なる複数のクロックを出力するクロック制御手段と、アナログデータを所定数に分割する分割手段と、分割後のアナログデータのそれぞれに周波数の異なるクロックを付加するクロック付加手段と、クロックが付加されたアナログデータをデジタル変換して、複数のデジタル信号を生成するデジタル変換手段と、複数のデジタル信号を送信信号として外部に送出する送出手段と、外部から信号を受ける受入手段と、信号を複数のデジタル信号に分配する分波器と、複数のデジタル信号をアナログ変換して、複数のアナログデータとクロックに分けるアナログ変換手段と、クロックの周波数にもとづいて複数のアナログデータを合成する合成手段とを備えた構成としてある。【００１２】
また、本発明の通信システムは、一又は二以上の送信機と、一又は二以上の受信機とを備え、送信機が、請求の範囲の請求項１〜８のいずれかに記載の送信機を含み、受信機が、請求項９又は１０記載の受信機を含む構成としてある。【００１３】
また、本発明の通信システムは、複数の通信装置と、これら通信装置間で送受信される信号を中継する基地局とを備えた構成としてある。【００１４】
また、本発明の通信システムは、通信回線を介して映像配信装置から送信されてきた映像通信信号を受信し映像信号を出力するＷＥＢチューナと、映像信号にもとづく映像を表示する表示装置とを備え、ＷＥＢチューナが、請求の範囲の請求項１３記載の通信装置を含む構成としてある。【００１５】
また、本発明の通信システムは、撮影対象を撮影するカメラ装置と、このカメラ装置で取り込まれた画像にもとづく撮影画像信号を入力する第一のＷＥＢチューナと、通信回線を介して第一のＷＥＢチューナから撮影画像信号を受信し第二のＷＥＢチューナへ配信する映像配信装置と、第二のＷＥＢチューナを介して撮影画像信号を入力し、この撮影画像信号にもとづく映像を表示する表示装置とを備え、第一及び／又は第二のＷＥＢチューナが、請求の範囲の請求項１３記載の通信装置を含む構成としてある。【００１６】
また、本発明の送信方法は、周波数の異なる複数のクロックを出力する処理と、アナログデータを所定数に分割する処理と、分割後のアナログデータのそれぞれに周波数の異なるクロックを付加する処理と、クロックが付加されたアナログデータをデジタル変換して、複数のデジタル信号を生成する処理と、複数のデジタル信号を送信信号として外部に送出する処理とを有した方法としてある。【００１７】
また、本発明の受信方法は、外部から信号を受ける処理と、信号を複数のデジタル信号に分配する処理と、複数のデジタル信号をアナログ変換して、複数のアナログデータとクロックに分ける処理と、クロックの周波数にもとづいて複数のアナログデータを合成する処理とを有した方法としてある。
【発明の効果】
【００１８】
本発明の送信機、受信機、通信装置、通信システム、送信方法及び受信方法によれば、アナログデータである映像データを所定数に分割し、各分割データに周波数の異なるクロックを付加し、これらをデジタル変換して外部に送出する構成としたので、伝送路の伝送キャリア幅に収まる分割データの送信が可能となる。このことから、圧縮処理や解凍処理を行わなくても、データ量の多い映像データの送受信が可能となる。
また、圧縮処理や解凍処理が不要となることから、通信時間の短縮を図ることができ、取得された映像をリアルタイムに受信して表示できる。さらに、圧縮処理が不要となることから、解凍による画質の低下を防止でき、高画質で映像を表示できる。
【図面の簡単な説明】
【００１９】
【図１】本発明における第一実施形態の通信装置の構成を示すブロック図である。
【図２】通信装置の詳細な構成を示すブロック図である。
【図３】画像を複数の領域に分割する様子を示す図である。
【図４】送信ブロック処理部及びＡ／Ｄ変換部の構成を示すブロック図である。
【図５】分割データをブロック化しＡ／Ｄ変換する様子を示す図であって、（ｉ）は、ブロックデータを信号枠に収めるとともに、クロックを付加する様子を示す図、（ii）は、ブロックデータとクロックからなるアナログ伝送信号をデジタル信号に変換する様子を示す図である。
【図６】ステージごとに設定された信号枠と付加されたクロックの様子を示す図である。
【図７】各ステージの信号枠を周波数軸上に並べた様子を示す図である。
【図８】複数のデジタル信号を混合する様子を示す図である。
【図９】音声データをＦＭ搬送波にのせたところを示す図である。
【図１０】Ｄ／Ａ変換部及び受信ブロック処理部の構成を示すブロック図である。
【図１１】送信部の構成を示すブロック図である。
【図１２】受信部の構成を示すブロック図である。
【図１３】本発明における第一実施形態の通信方法のうち送信方法の処理手順を示すフローチャートである。
【図１４】本発明における第一実施形態の通信方法のうち受信方法の処理手順を示すフローチャートである。
【図１５】本発明の通信装置を実施したときの効果を説明する図である。
【図１６】本発明における第二実施形態の通信装置の構成を示すブロック図である。
【図１７】通信制御手段の構成を示すブロック図である。
【図１８】本発明における第二実施形態の通信装置の送信動作を示すフローチャートである。
【図１９】本発明における第二実施形態の通信装置の受信動作を示すフローチャートである。
【図２０】本発明における第一実施形態のＷＥＢチューナの構成を示すブロック図である。
【図２１】第一の画像伝送システムの構成を示す模式図である。
【図２２】第二の画像伝送システムの構成を示す模式図である。
【図２３】第三の画像伝送システムの構成を示す模式図である。
【図２４】第四の画像伝送システムの構成を示す模式図である。
【図２５】本発明における第一実施形態のＷＥＢチューナの動作のうち送信方法の動作を示すフローチャートである。
【図２６】本発明における第一実施形態のＷＥＢチューナの動作のうち受信方法の動作を示すフローチャートである。
【図２７】本発明における第二実施形態のＷＥＢチューナの構成を示すブロック図である。
【図２８】被写体を複数のコーナーセグメントで分けた様子を示す図である。
【図２９】本発明における第二実施形態のＷＥＢチューナの他の構成を示すブロック図である。
【図３０】送信機の構成を示すブロック図である。
【図３１】送信機の詳細構成を示すブロック図である。
【図３２】受信機の構成を示すブロック図である。
【図３３】受信機の詳細構成を示すブロック図である。
【図３４】本発明における第一実施形態の通信システムの構成を示す模式図である。
【図３５】第一実施形態の通信システムの他の構成を示す模式図である。
【図３６】第二実施形態の通信システムの構成を示す模式図である。
【図３７】八つのステージの信号枠を周波数軸上に並べた様子を示す図である。
【符号の説明】
【００２０】
１（１ａ〜１ｄ）  通信装置
１０  水晶発振器
２０  クロック制御手段
４０  表示手段
５０  信号処理手段
５１０  分割部（分割手段）
５２０  送信ブロック処理部（クロック付加手段）
５３０  Ａ／Ｄ変換部（デジタル変換手段）
５４０  Ｄ／Ａ変換部
５５０  受信ブロック処理部
５６０  合成部（合成手段）
６０  データ制御手段
６２０  混合器
６３０  分波器
７０  送受信手段
７１０  送信部（送出手段）
７２０  受信部
９０  通信制御手段
２（２ａ〜２ｃ）  ＷＥＢチューナ
９（９ａ〜９ｃ）  通信システム
１ｓ１  通信装置（送信側）
１ｒ１、１ｒ２  通信装置（受信側）
１１０  送信機
１２０  受信機
【発明を実施するための最良の形態】
【００２１】
以下、本発明に係る送信機、受信機、通信装置、通信システム、送信方法及び受信方法の好ましい実施形態について、図面を参照して説明する。【００２２】
［通信装置及び通信方法の第一実施形態］
まず、本発明の通信装置及び通信方法の第一実施形態について、図１を参照して説明する。
同図は、本実施形態の通信装置の構成を示すブロック図である。【００２３】
（Ｉ）通信装置
同図に示すように、通信装置１ａは、水晶発振器１０（１０−１〜１０−ｎ）と、クロック制御手段２０と、撮像手段３０と、表示手段４０と、信号処理手段５０ａと、データ制御手段６０ａと、送受信手段７０と、アンテナ８０とを備えている。【００２４】
ここで、水晶発振器１０は、複数（本実施形態においては、四つ）備えられており、それぞれが異なる周波数のクロックを出力する。また、複数のクロックは、それぞれ所定の周波数（本実施形態においては、２．１ＭＨｚ）の整数倍の周波数を有することができる。
具体的には、例えば、第一の水晶発振器１０−１は、周波数２．１ＭＨｚのクロックＡを出力し、第二の水晶発振器１０−２は、４．２ＭＨｚのクロックＢを出力し、第三の水晶発振器１０−３は、６．３ＭＨｚのクロックＣを出力し、第四の水晶発振器１０−４は、８．４ＭＨｚのクロックＤを出力することができる。
なお、本実施形態において、水晶発振器１０は、四つ備えられているが、四つに限るものではなく、必要に応じて任意の数だけ備えることができる。【００２５】
クロック制御手段２０は、水晶発振器１０から出力されたクロックを信号処理手段５０ａへ送る。このとき、クロック制御手段２０は、水晶発振器１０から送られてきた複数のクロックのすべてを信号処理手段５０ａへ送ることができる。また、複数のクロックの中から一又は二以上のクロックを選択して、信号処理手段５０ａへ送ることができる。
クロックをいくつ選択するかは、信号処理手段５０ａが処理する信号の種類によって決めることができる。例えば、その信号が画像データの場合は、分割される数だけ選択する。また、その信号が音声データのみの場合は、クロックＡだけを選択する。【００２６】
撮像手段３０は、例えば、ＣＣＤカメラなどで構成することができ、静止画像又は動画像を撮像し、この撮像データ（アナログデータ）を信号処理手段５０ａへ送る。
表示手段４０は、液晶ディスプレイなどで構成することができ、信号処理手段５０ａから送られてきた静止画像、動画像、文字などを表示する。
この表示手段４０と信号処理手段５０ａとの間には、図２に示すように、切換手段４１を備えることができる。切換手段４１は、表示手段４０に表示される情報を切り換える。例えば、画像とデータとの切り換えなどを行う。【００２７】
信号処理手段５０ａは、撮像手段３０から送られてきた撮像データ（アナログデータ）をデジタル信号に変換して、データ制御手段６０ａへ送る。また、信号処理手段５０ａは、マイクロフォン５２から送られてきた音声データをデータ制御手段６０ａへ送る。
さらに、信号処理手段５０ａは、データ制御手段６０ａから送られてきたデジタル信号をアナログデータに変換し、撮像データは表示手段４０へ、音声データはスピーカ５１へそれぞれ送る。【００２８】
この信号処理手段５０ａは、図２に示すように、分割部５１０と、送信ブロック処理部５２０と、Ａ／Ｄ変換部５３０と、Ｄ／Ａ変換部５４０と、受信ブロック処理部５５０と、合成部５６０とを有している。【００２９】
分割部（分割手段）５１０は、撮像手段３０から送られてきた撮像データを所定数に分割する。この分割処理は、図３に示すように、アナログデータにより生成される一つの画像を複数の領域（本実施形態においては、四つの領域１〜４）に分けたときの各領域に対応させて撮像データを分割する。【００３０】
送信ブロック処理部５２０は、分割データをブロック化（ブランキング）する。
この送信ブロック処理部５２０は、図４に示すように、複数のブロック生成部５２１（５２１−１〜５２１−ｎ）を有している。ブロック生成部５２１のそれぞれは、分割データを一つ入力し、これをブロック化する。【００３１】
このブロック化は、図５（ｉ）に示すような手順で行う。
まず、ブロック生成部５２１は、分割部５１０から分割データを入力する。例えば、第一のブロック生成部５２１−１は、領域１の分割データを入力する。第二のブロック生成部５２１−２は、領域２の分割データを入力する。第三のブロック生成部５２１−３は、領域３の分割データを入力する。第四のブロック生成部５２１−４は、領域４の分割データを入力する。【００３２】
次いで、ブロック生成部５２１は、分割データを所定のデータ量で区切って、これをブロックデータとする。このブロックデータのデータ量は、同図（i）に示す１／４信号枠（以下、略して「信号枠」という。）に収まる量、例えば、６４kbytesとすることができる。また、信号枠は、例えば、変調幅（搬送波幅）を２５ｋＨｚとすることができる。【００３３】
続いて、ブロック生成部５２１は、ブロックデータを、ステージに用意された信号枠に収める。
例えば、第一のブロック生成部５２１−１は、領域１の分割データ１を６４kbytesで区切ってブロックデータ１を生成し、これをステージ１の信号枠１に収める。また、第二のブロック生成部５２１−２は、領域２の分割データ２を６４kbytesで区切ってブロックデータ２を生成し、これをステージ２の信号枠２に収める。さらに、第三のブロック生成部５２１−３は、領域３の分割データ３を６４kbytesで区切ってブロックデータ３を生成し、これをステージ３の信号枠３に収める。そして、第四のブロック生成部５２１−４は、領域４の分割データ４を６４kbytesで区切ってブロックデータ４を生成し、これをステージ４の信号枠４に収める。【００３４】
また、ブロック生成部５２１は、クロック制御部２０から複数のクロックを入力する。
複数のクロックは、それぞれ周波数が異なっており、複数のステージのいずれかに対応している。例えば、クロックＡは、ステージ１に対応している。また、クロックＢは、ステージ２に対応している。さらに、クロックＣは、ステージ３に対応している。そして、クロックＤは、ステージ４に対応している。
さらに、各ステージの周波数範囲は、クロックの周波数により設定される。例えば、ステージ１は、０Ｈｚから、対応するクロックＡの周波数２．１ＭＨｚまでを周波数範囲とする。また、ステージ２は、０Ｈｚから、対応するクロックＢの周波数４．２ＭＨｚまでを周波数範囲とする。さらに、ステージ３は、０Ｈｚから、対応するクロックＣの周波数６．３ＭＨｚまでを周波数範囲とする。そして、ステージ４は、０Ｈｚから、対応するクロックＤの周波数８．４ＭＨｚまでを周波数範囲とする。【００３５】
そして、ブロック生成部５２１は、各ステージの信号枠（ブロックデータ）にそれぞれ対応するクロック（サブキャリア）を付加する。
例えば、第一のブロック生成部５２１−１は、ステージ１の信号枠１に、対応するクロックＡを付加する。また、第二のブロック生成部５２１−２は、ステージ２の信号枠２に、対応するクロックＢを付加する。さらに、第三のブロック生成部５２１−３は、ステージ３の信号枠３に、対応するクロックＣを付加する。そして、第四のブロック生成部５２１−４は、ステージ４の信号枠４に、対応するクロックＤを付加する。【００３６】
これにより、ブロック生成部５２１では、各領域のブロックデータとクロックとの組（アナログ伝送信号）が各ステージごとに生成される。
この様子を図６に示す。すなわち、ステージ１には、領域１のブロックデータ１が収められた信号枠１とクロックＡとの組が生成される。また、ステージ２には、領域２のブロックデータ２が収められた信号枠２とクロックＢとの組が生成される。さらに、ステージ３には、領域３のブロックデータ３が収められた信号枠３とクロックＣとの組が生成される。そして、ステージ４には、領域４のブロックデータ４が収められた信号枠４とクロックＤとの組が生成される。【００３７】
このような処理により、各ステージごとのアナログ伝送信号のデータ量は、伝送路（本実施形態の通信装置１ａが携帯電話機の場合は、携帯電話機と基地局３００との間の無線の伝送路）により伝送可能なデータ量と同じか、これよりも少ない。つまり、アナログ伝送信号を構成するブロックデータのデータ量は、伝送路の伝送キャリア幅に収まるデータ量となっている。これにより、圧縮処理を行うことなく、撮像データの送受信が可能となる。【００３８】
なお、ステージ１とステージ２は、撮像データの一つの画面の１〜１５フレームに相当させることができる。ステージ３とステージ４は、その一つの画面の１６〜３０フレームに相当させることができる。
また、図３に示す画像の分割において、領域１、２と領域３、４とを区切る横線を基準線とすると、図６に示すステージ３とステージ４は、基準線に対して下向きの信号枠及びクロックとなる。ただし、この場合、ＨＬ変換を行うことにより、同図に示す波形、すなわち基準線より上向きの波形に変換することができる。【００３９】
さらに、各クロックは、それぞれ異なる周波数を有しており、しかも所定の周波数に対して整数倍になっている。しかも、各ステージは、図６に示すように、０ＭＨｚからクロックの周波数までの範囲をとる。これらにより、すべてのステージを一の周波数軸上に並べると、図７に示すように、各ステージのアナログ伝送信号は、重なることなく整列し、各信号枠は、クロックとクロックとの間に収まる範囲内で形成される。【００４０】
また、送信ブロック処理部５２０及びブロック生成部５２１−１〜５２１−ｎは、ブロックデータ（分割後のアナログデータ）にクロックを付加することから、「クロック付加手段」としての機能を有している。【００４１】
Ａ／Ｄ変換部（デジタル変換手段）５３０は、送信ブロック処理部５２０で作成されたアナログ伝送信号をデジタル信号に変換する。
このＡ／Ｄ変換部５３０は、図４に示すように、少なくとも撮像データの分割数と同数（本実施形態においては、四つ）の変換信号生成部５３１（５３１−１〜５３１−ｎ）を有している。
変換信号生成部５３１は、図５（ii）に示すように、アナログ伝送信号をデジタル符号化してデジタル信号を得る。すなわち、変換信号生成部５３１は、信号枠に収められたブロックデータとこれに付加されたクロックの周波数との両方を合わせてデジタル符号化し、デジタル信号を生成する。【００４２】
具体的には、例えば、第一の変換信号生成部５３１−１は、ステージ１の信号枠１に収められたブロックデータ１とクロックＡの周波数とを合わせてデジタル符号化し、デジタル信号１を生成する。また、第二の変換信号生成部５３１−２は、ステージ２の信号枠２に収められたブロックデータ２とクロックＢの周波数とを合わせてデジタル符号化し、デジタル信号２を生成する。さらに、第三の変換信号生成部５３１−３は、ステージ３の信号枠３に収められたブロックデータ３とクロックＣの周波数とを合わせてデジタル符号化し、デジタル信号３を生成する。そして、第四の変換信号生成部５３１−４は、ステージ４の信号枠４に収められたブロックデータ４とクロックＤの周波数とを合わせてデジタル符号化し、デジタル信号４を生成する。
これら変換信号生成部５３１により生成されたステージごとのデジタル信号を図８（ｉ）に示す。同図（ｉ）は、変換信号生成部５３１で生成されて送信信号補正部６１０（後述）に記憶されたデジタル信号１〜４を示す図である。【００４３】
なお、信号処理手段５０ａは、マイクロフォン５２から音声信号（アナログデータ）を入力すると、図９に示すように、４．５ＭＨｚのＦＭ（Frequency  Modulation）の音声キャリアにのせ、Ａ／Ｄ変換して、データ制御手段６０ａへ送ることができる。この音声信号は、４．２５ＭＨｚと４．７５ＭＨｚとの間（最大０．５ＭＨｚ）で周波数変調が行われて送信される。【００４４】
Ｄ／Ａ変換部（アナログ変換手段）５４０は、データ制御手段６０ａの受信信号補正部６４０（後述）からデジタル信号を取り出し、アナログ伝送信号に変換する。すなわち、図５（ii）に示すデジタル信号をアナログ伝送信号に変換する。
このＤ／Ａ変換部５４０は、図１０に示すように、複数（本実施形態においては、四つ）の信号変換部５４１（５４１−１〜５４１−ｎ）を有している。【００４５】
信号変換部５４１は、デジタル符号化（ブロック化）されているデジタル信号を、アナログ変換し、アナログ伝送信号を得る。
具体的には、例えば、第一の信号変換部５４１−１は、デジタル信号１をアナログ変換してアナログ伝送信号１を得る。また、第二の信号変換部５４１−２は、デジタル信号２をアナログ変換してアナログ伝送信号２を得る。さらに、第三の信号変換部５４１−３は、デジタル信号３をアナログ変換してアナログ伝送信号３を得る。そして、第四の信号変換部５４１−４は、デジタル信号４をアナログ変換してアナログ伝送信号４を得る。【００４６】
受信ブロック処理部５５０は、アナログ伝送信号から、クロックと信号枠に収められたブロックデータとを分離して合成部５６０へ送る。
この受信ブロック処理部５５０は、図１０に示すように、複数（本実施形態においては、四つ）のブロック分離部５５１（５５１−１〜５５１−ｎ）を有している。【００４７】
ブロック分離部５５１は、アナログ伝送信号の一つを入力し、このアナログ伝送信号から、ブロックデータとクロックとを分離し、クロックの周波数を特定して、合成部５６０へ送る。
具体的には、例えば、第一のブロック分離部５５１−１は、アナログ伝送信号１を入力し、ブロックデータ１とクロックＡとに分離する。また、第二のブロック分離部５５１−２は、アナログ伝送信号２を入力し、ブロックデータ２とクロックＢとに分離する。さらに、第三のブロック分離部５５１−３は、アナログ伝送信号３を入力し、ブロックデータ３とクロックＣとに分離する。そして、第四のブロック分離部５５１−４は、アナログ伝送信号４を入力し、ブロックデータ４とクロックＤとに分離する。【００４８】
また、第一のクロック分離部５５１−１は、アナログ伝送信号から分離したクロックの周波数とクロック制御手段２０から送られてきたクロックＡ〜Ｄの各周波数とを照合し、照合の結果、クロックＡの周波数と一致すると、アナログ伝送信号から分離したクロックをクロックＡであると特定し、アナログ伝送信号から分離したブロックデータをブロックデータ１であると特定する。
同様に、第二のクロック分離部５５１−２は、アナログ伝送信号から分離したクロックの周波数とクロック制御手段２０から送られてきたクロックＡ〜Ｄの各周波数とを照合し、照合の結果、クロックＢの周波数と一致すると、アナログ伝送信号から分離したクロックをクロックＢであると特定し、アナログ伝送信号から分離したブロックデータをブロックデータ２であると特定する。第三のクロック分離部５５１−３における処理と、第四のクロック分離部５５１−４における処理についても同様である。
そして、それらブロックデータ１〜４とクロックＡ〜Ｄは、合成部５６０へ送られる。【００４９】
合成部（合成手段）５６０は、受信ブロック処理部５５０から送られてきた複数のブロックデータ１〜４を、クロックＡ〜Ｄの各周波数にしたがって合成する。
すなわち、合成部５６０は、クロックの周波数を判断し、この周波数から画像の領域を特定し、この領域の並び順にしたがって、ブロックデータを合成する。【００５０】
例えば、クロックＡが付加されていたブロックデータ１を、領域１のブロックデータ１であると判断する。また、クロックＢが付加されていたブロックデータ２を、領域２のブロックデータ２であると判断する。さらに、クロックＣが付加されていたブロックデータ３を、領域３のブロックデータ３であると判断する。そして、クロックＤが付加されていたブロックデータ４を、領域４のブロックデータ４であると判断する。【００５１】
次いで、合成部５６０は、各領域１〜４の並び順にしたがってブロックデータ１〜４を合成し、一枚の画像を形成する。この形成された画像は、表示手段４０へ送られて表示される。
領域１〜４の並び順は、図３（ii）に示すとおりである。つまり、ブロックデータ１により生成される領域１を左上に、ブロックデータ２により生成される領域２を右上に、ブロックデータ３により生成される領域３を左下に、ブロックデータ４により生成される領域４を右下に、それぞれ位置するようにして、各ブロックデータにもとづき一つの画像を生成する。【００５２】
なお、ブロックデータが映像データである場合には、合成部５６０は、受信ブロック処理部５５０からのブロックデータを次々と合成し、表示手段４０へ送る。これにより、表示手段４０は、その映像を表示することができる。
また、データ制御手段６０ａから送られてきたデータが音声データである場合には、信号処理手段５０ａは、その音声データをスピーカ５１へ送り外部出力させる。この音声データは、アンテナ８０での受信時には、デジタル信号であるため、Ｄ／Ａ変換部５４０でアナログ変換される。【００５３】
データ制御手段６０ａは、信号処理手段５０ａから送られてきたデジタル信号を混合する。また、データ制御手段６０ａは、送受信手段７０の受信部７２０（後述）から送られてきた復調信号を分波する。
このデータ制御手段６０ａは、図２に示すように、送信信号補正部６１０と、混合器６２０と、分波器６３０と、受信信号補正部６４０とを有している。【００５４】
送信信号補正部６１０は、信号処理手段５０ａのＡ／Ｄ変換部５３０の変換信号生成部５３１で生成されたデジタル信号を記憶・保持する。この送信信号補正部６１０でデジタル信号が記憶された状態を図８（ｉ）に示す。このように、送信信号補正部６１０は、記憶部としての機能を有している。
また、送信信号補正部６１０は、デジタル信号を記憶する際に、そのデジタル信号を補正する。【００５５】
混合器６２０は、図８（ｉ）、（ii）に示すように、各ステージのデジタル信号１〜４を送信信号補正部６１０から取り出して混合する。混合したデジタル信号は、混合信号として送受信手段７０の送信部７１０へ送られる。
なお、撮像手段３０で撮像されたデータが動画像データの場合、送信信号補正部６１０には、Ａ／Ｄ変換部５３０でデジタル変換されたデータが順次記憶されていく。ここで、ステージ１のブロック信号のデジタル符号化が開始されてから、ステージ４のブロック信号のデジタル符号化が終了するまで、ある程度の時間を要する。送信信号補正部６１０は、四つのステージの各ブロック信号のデジタル符号化が終了するまで、デジタル信号を保持（チェーン）する。これらは、時差的コールドで構成され、例えば３０もしくは６０画像フレームを四枚一組で構成される。【００５６】
そして、混合器６２０は、一つの画像におけるすべての領域（ステージ）のデジタル信号が送信信号補正部６１０に記憶されると、これらを取り出して混合する。この混合器６２０が処理を行っている間にも、送信信号補正部６１０は、信号処理手段５０ａから送られてきたデジタル信号を次々に記憶していく。【００５７】
分波器６３０は、受信部７２０から送られてきた復調信号を、ステージごとのデジタル信号に分ける。
受信信号補正部６４０は、分波器６３０で分けられたデジタル信号を記憶する。
この受信信号補正部６４０でデジタル信号が記憶される状態を、図８（ｉ）に示す。このように、受信信号補正部６４０は、記憶部としての機能を有している。
また、受信信号補正部６４０は、デジタル信号を記憶する際に、そのデジタル信号を補正する。【００５８】
送受信手段７０は、送信部７１０と、受信部７２０と、混合器７３０とを有している。
送信部（送出手段）７１０は、図１１に示すように、局部発振器７１１と、ミキサ７１２と、ＶＣＯ７１３と、ＰＬＬ７１４と、アドレスロジック回路７１５と、ＴＸ７１６とを有している。
局部発振器（ローカルＯＳ）７１１は、外部から基本波（例えば、８３０ＭＨｚの搬送波）を入力すると、ミキサ７１２へ送る。
ミキサ（ＭＩＸ）７１２は、データ制御手段６０ａから送られてきた混合信号により、局部発振器７１１からの搬送波を変調して送信信号を生成する。【００５９】
ＶＣＯ（Voltage  Controlled  Oscillator：電圧制御発振回路）７１３は、ＰＬＬ７１４からの制御電圧に応じて、ミキサ７１２からの送信信号の周波数を制御する。
ＰＬＬ（Phase  Locked  Loop：位相同期回路）は、ＶＣＯ７１３から出力された送信信号の周波数がＸＴＡＬ（Crystal：水晶振動子、図示せず）の周波数と同じ位相になるように制御する。これにより、送信信号の周波数が目的の周波数（例えば、８３０．０２５ＭＨｚ）に設定される。【００６０】
アドレスロジック回路７１５は、送信信号にアドレスデータを付与する。
ＴＸ７１６は、送信処理装置（Transmitter）であって、アンテナ８０を介して、送信信号を外部（例えば、基地局３００、中継装置３１０など）へ送信する。【００６１】
受信部（受入手段）７２０は、図１２に示すように、選局部７２１と、復調部７２２と、誤り訂正部７２３とを有している。
選局部（アドレスロジック回路）７２１は、ユーザによる操作部（図示せず）の操作により、一の伝送チャネルが選局されると、この伝送チャネルにより送信されてきた電波を混合器７３０から受け取り、受信信号として復調部７２２へ送る。【００６２】
復調部７２２は、選局部７２２から受信信号を受け取り、この受信信号を復調して、復調信号を得る。
誤り訂正部７２３は、復調信号に対して誤り訂正処理を行う。これにより、ＴＳパケットに戻される。ＴＳパケットには、映像、音声のパケット以外にデータ放送やＥＰＧ、選局に必要な情報などが含まれている。【００６３】
混合器７３０は、送信部７１０からの送信信号をアンテナ８０へ送って送信させる。また、混合器７３０は、アンテナ８０からの受信信号を受信部７２０へ送る。
さらに、混合器７３０は、デュプレクサ（Duplexer）としての機能を有することができる。例えば、アンテナ８０が送信用と受信用とを共用しているときに、強力な送信波が受信部７２０に流入し受信するのを防止するために、送信経路と受信経路とを電気的に分離する。【００６４】
（II）通信方法
次に、本実施形態の通信装置の動作（通信方法）について、図１３、図１４を参照して説明する。
図１３は、通信方法のうち送信方法の処理手順を示すフローチャートである。図１４は、通信方法のうち受信方法の処理手順を示すフローチャートである。【００６５】
（II-１）送信方法
複数の水晶発振器１０−１〜１０−４は、それぞれ周波数の異なるクロックＡ〜Ｄを発振している（図１３のステップ１０）。これらクロックＡ〜Ｄは、クロック制御手段２０へ送られる。
撮像手段３０は、静止画像又は動画像を撮像する（ステップ１１）。この撮像データは、信号処理手段５０ａへ送られる。【００６６】
信号処理手段５０ａの分割部５１０は、一つ画像を複数（本実施形態においては、四つ）の領域に分けたときの各領域ごとに撮像データを分割し（ステップ１２）、分割データ１〜４として送信ブロック処理部５２０へ送る。ここで、分割データ１は、領域１の画像を表示するためのデータである。また、分割データ２は、領域２の画像を表示するためのデータである。さらに、分割データ３は、領域３の画像を表示するためのデータである。そして、分割データ４は、領域４の画像を表示するためのデータである。【００６７】
送信ブロック処理部５２０は、分割データ１〜４のそれぞれを所定のデータ量ごとに分けてブロック化する（ステップ１３）。
次いで、送信ブロック処理部５２０は、そのブロック化したデータ（ブロックデータ）を対応するステージの信号枠に収める。
例えば、分割データ１から分けられたブロックデータ１は、分割データ１が表す領域１に対応したステージ１の信号枠１に収められる。また、分割データ２から分けられたブロックデータ２は、分割データ２が表す領域２に対応したステージ２の信号枠２に収められる。さらに、分割データ３から分けられたブロックデータ３は、分割データ３が表す領域３に対応したステージ３の信号枠３に収められる。そして、分割データ４から分けられたブロックデータ４は、分割データ４が表す領域４に対応したステージ４の信号枠４に収められる。【００６８】
続いて、送信ブロック処理部５２０は、クロック制御手段２０からクロックＡ〜Ｄを入力する。
そして、送信ブロック処理部５２０は、ブロックデータが収められた信号枠に対して、そのステージに対応したクロック（又は、そのブロックデータが表す画像の領域に対応したクロック）を付加する（ステップ１４）。
例えば、ブロックデータ１が収められた信号枠１に対して、そのステージ１に対応したクロックＡを付加する。また、ブロックデータ２が収められた信号枠２に対して、そのステージ２に対応したクロックＢを付加する。さらに、ブロックデータ３が収められた信号枠３に対して、そのステージ３に対応したクロックＣを付加する。そして、ブロックデータ４が収められた信号枠４に対して、そのステージ４に対応したクロックＤを付加する。【００６９】
さらに、送信ブロック処理部５２０は、信号枠に収められたブロックデータとクロックとを合わせてアナログ伝送信号としてＡ／Ｄ変換部５３０へ送る。
Ａ／Ｄ変換部５３０は、アナログ伝送信号をデジタル変換し（ステップ１５）、デジタル信号としてデータ制御手段６０ａへ送る。【００７０】
データ制御手段６０ａの送信信号補正部６１０は、Ａ／Ｄ変換部５３０から送られてきたデジタル信号を記憶・保持する（ステップ１６）。
混合器６２０は、四つのステージにおける３０フレーム分のデジタル信号のすべてが送信信号補正部６１０に記憶されると、それらデジタル信号を送信信号補正部６１０から取り出して混合する（ステップ１７）。そして、これを混合信号として、送信部７１０へ送る。【００７１】
送信部７１０は、搬送波を混合信号によって変調する（ステップ１８）。
そして、送信部７１０は、変調した後の信号を送信信号とし、混合器７３０及びアンテナ８０を介して、外部へ送信する（ステップ１９）。【００７２】
（II-２）受信方法
次に、通信装置における受信方法の処理手順について、図１４を参照して説明する。
アンテナ８０は、外部から送信されてきた電波を受信する（ステップ３０）。
電波は、受信信号として、送受信手段７０の混合器７３０を介して受信部７２０へ送られる。
受信部７２０は、受信信号を復調し（ステップ３１）、この復調信号をデータ制御手段６０ａへ送る。【００７３】
データ制御手段６０ａの分波器６３０は、復調信号を分波し（ステップ３２）、ステージごとのデジタル信号に分ける。
この分けられたデジタル信号は、受信信号補正部６４０へ送られて記憶・保持される（ステップ３３）。【００７４】
信号処理手段５０ａのＤ／Ａ変換部５４０は、受信信号補正部６４０からデジタル信号を取り出してアナログ変換し（ステップ３４）、これをアナログ伝送信号として受信ブロック処理部５５０へ送る。
受信ブロック処理部５５０は、アナログ伝送信号からブロックデータとクロックとを取り出し（ステップ３５）、それぞれを合成部５６０へ送る。
合成部５６０は、クロックの周波数にもとづいて、ブロックデータを合成し（ステップ３６）、合成データとして表示手段４０へ送る。
表示手段４０は、合成データにもとづいて、画像を表示する（ステップ３７）。【００７５】
以上説明したように、本実施形態の通信装置及び通信方法によれば、アナログデータである映像データを所定数に分割し、各分割データに周波数の異なるクロックを付加し、これらをデジタル変換して外部に送出する構成としたため、伝送キャリア幅に収まる分割データの送信が可能となる。このことから、圧縮処理や解凍処理を行わなくても、データ量の多い映像データの送受信が可能となる。また、圧縮処理や解凍処理が不要となることから、通信時間の短縮を図ることができ、リアルタイムに映像データを受信し、表示できる。さらに、圧縮処理が不要となることから、解凍による画質の低下を防止でき、高画質で映像を表示できる。【００７６】
次に、本実施形態の通信装置及び通信方法と関連技術との比較と、本実施形態の効果について、図１５（ｉ），（ii）を参照して説明する。
同図（ｉ）は、関連技術による画像伝送の流れを示す図である。同図（ii）は、本実施形態の通信装置及び通信方法による画像伝送の流れを示す図である。【００７７】
画像を送受信する場合、一般に、その画像データは、伝送路で送信できるように、圧縮処理を行っていた（同図（ｉ））。例えば、関連技術の送信側装置は、１２０万画素であった元の画像を、圧縮処理して３０万画素にしていた。この３０万画素の画像データは、伝送路により伝送される。これを受信した装置は、解凍処理を行う。これにより、受信側装置は、その画像を画面に表示することができる。
しかしながら、解凍後の画像データは、圧縮後の画像データと同じ３０万画素であり、元の画像データの１２０万画素よりもかなり少ない画素数となってしまう。そうすると、受信側装置では、画質が低下した画像が表示されていた。しかも、圧縮処理や解凍処理を行うことで、通信速度が低下していた。【００７８】
これに対し、本実施形態の通信装置は、１２０万画素の画像を３０万画素ずつ四つの分割データに分割する（同図（ii））。そして、これら分割データを順番に伝送路へ送って送信する。受信側の通信装置は、それら分割データを受信し合成する。３０万画素ずつ四つの分割データが合成されるため、この合成された画像は、１２０万画素となる。これにより、本実施形態の通信装置は、画質が低下することなく、高画質の画像を画面表示することができる。しかも、圧縮処理や解凍処理を行わないことから、通信速度を速くすることができる。【００７９】
さらに、分割データには、それぞれ周波数の異なるクロックが付加される。そして、各クロックは、画像を構成する複数の領域のいずれかに対応している。このため、受信側の通信装置は、そのクロックの周波数を確認することで、受信した分割データが、画像におけるどの領域の分割データであるかを把握できる。これにより、領域を間違えることなく、正しい配置で分割データを合成し、画面に表示することができる。【００８０】
［通信装置及び通信方法の第二実施形態］
次に、本発明の通信装置及び通信方法の第二実施形態について、図１６を参照して説明する。
同図は、本実施形態の通信装置の構成を示すブロック図である。
本実施形態は、第一実施形態と比較して、通信制御手段を備えた点が相違する。他の構成要素は第一実施形態と同様である。
したがって、図１６において、図１と同様の構成部分については同一の符号を付して、その詳細な説明を省略する。【００８１】
（Ｉ）通信装置
図１６に示すように、通信装置１ｂは、水晶発振器１０と、クロック制御手段２０と、撮像手段３０と、表示手段４０と、信号処理手段５０ａと、データ制御手段６０ａと、送受信手段７０と、アンテナ８０と、通信制御手段９０とを有している。
ここで、信号処理手段５０ａ及びデータ制御手段６０ａは、第一実施形態の通信装置における信号処理手段５０ａ及びデータ制御手段６０ａと同様の機能を有している。【００８２】
通信制御手段９０は、図１７に示すように、信号伝送処理部（送信側）９１０と、データマトリックス（送信側）９２０と、システムロジック（送信側）９３０と、システムロジック（受信側）９４０と、データマトリックス（受信側）９５０と、信号伝送処理部（受信側）９６０とを有している。【００８３】
信号伝送処理部（送信側）９１０は、混合器６２０から送られてきた混合信号をデータマトリックス９２０へ送る。また、信号伝送処理部９１０は、操作手段（図示せず）の操作にもとづいて、非常信号を生成し、データマトリックス９２０へ送る。
データマトリックス（送信側）９２０は、撮像データの送信モード（通常モード）と非常信号の送信モード（非常送信モード）との切り換えを行なう。具体的には、非常信号を受け取ると、データ制御手段６０ａから送られてきた混合信号を保持し、非常信号をシステムロジック９３０へ送る。また、非常信号を受け取りが終了すると、保持していた混合信号（又は、その後にデータ制御手段６０ａから送られてきた混合信号）をシステムロジック９３０へ送る。【００８４】
システムロジック（送信側）９３０は、データマトリックス９２０から送られてきた混合信号を送信部７１０へ送る。また、システムロジック９３０は、ろ過機能（フィルタ機能）を有しており、非常信号の高帯域又は低帯域の周波数成分をカットし、これを送信部７１０へ送る。
システムロジック（受信側）９４０は、受信部７２０から復調信号を受けると、重畳してきたノイズ成分をカットし、これをデータマトリックス９５０へ送る。【００８５】
データマトリックス（受信側）９５０は、復調信号が非常信号を含むものか、又は撮像データを含むものかを判断する。そして、データマトリックス９５０は、その復調信号を、判断結果とともに信号伝送処理部９６０へ送る。
信号伝送処理部（受信側）９６０は、データマトリックス９５０から受け取った復調信号が非常信号を含むものであるときは、非常表示モードに切り換え、表示手段４０の表示を非常信号用の表示に切り換えて、非常用画面を表示させる。
一方、復調信号が撮像データを含むものであるとき（又は、復調信号が非常信号を含まないとき）は、信号伝送処理部９６０は、その復調信号をデータ制御手段６０ａへ送る。
なお、本実施形態の通信装置１ｂは、操作部（図示せず）を備えている。操作部は、物理キーなどで構成されており、ユーザの操作により所定の命令や機能を選択する。【００８６】
（II）通信方法
次に、本実施形態の通信装置の動作（通信方法）について、図１８、図１９を参照して説明する。
図１８は、本実施形態の通信方法のうち送信方法の処理手順を示すフローチャートである。図１９は、本実施形態の通信方法のうち受信方法の処理手順を示すフローチャートである。【００８７】
（II-１）送信方法
ユーザによる操作手段の操作により非常信号の送信が指示されると、通信制御手段９０の信号伝送処理部９１０は、非常信号を生成する（図１８のステップ４０）。
データマトリックス９２０は、その非常信号を受け取ると、非常送信モードに切り換え（ステップ４１）、データ制御手段６０から送られてきた信号を保持し、非常信号をシステムロジック９３０へ送る。
システムロジック９３０は、非常信号のフィルタ処理を実行し（ろ過、ステップ４２）、その非常信号を送信部７１０へ送る。
送信部７１０は、非常信号により搬送波を変調し（ステップ４３）、変調後の搬送波を送信信号とし、混合器７３０及びアンテナ８０を介して外部へ送信する（ステップ４４）。【００８８】
（II-２）受信方法
受信部７２０は、アンテナ８０を介して外部から電波を受信すると（図１９のステップ５０）、これを復調し（ステップ５１）、復調した信号をシステムロジック９４０へ送る。
システムロジック９４０は、その復調信号のノイズ処理を実行し、この復調信号をデータマトリックス９５０へ送る。【００８９】
データマトリックス９５０は、その復調信号が非常信号を含むものか、又は撮像データを含むものかを判断する（ステップ５２）。そして、データマトリックス９５０は、その判断の結果を信号伝送処理部９６０へ送る。
信号伝送処理部９６０は、データマトリックス９５０での判断の結果が復調信号に非常信号を含むものであるときは、非常表示モードに切り換え（ステップ５３）、非常用画面を表示手段４０に表示させる（ステップ５４）。一方、判断の結果が復調信号に撮像データを含むものであるときは、復調信号をデータ制御手段６０ａへ送る。その後は、データ制御手段６０ａ及び信号処理手段５０ａでの処理により、撮像データにもとづく画像が表示手段４０に表示される（ステップ５５）。【００９０】
以上説明したように、本実施形態の通信装置及び通信方法によれば、撮像データだけでなく、非常信号を扱うこともできる。
また、複数のデジタル信号のうちの一つを非常信号にすることで、この非常信号についても高速通信が可能となる。【００９１】
［通信装置及び通信方法の第三実施形態］
次に、本発明の通信装置及び通信方法の第三実施形態について、図２０を参照して説明する。
同図は、本実施形態の通信装置であるＷＥＢチューナの構成を示すブロック図である。
本実施形態のＷＥＢチューナ（World  Wide  Web  Tuner）は、第一実施形態の通信装置を搭載した構成となっている。
したがって、図２０において、図１と同様の構成部分については同一の符号を付して、その詳細な説明を省略する。【００９２】
なお、ＷＥＢチューナとは、インタネットなどの通信回線を介して配信された映像信号を受信し、その映像信号をテレビモニタなどに送って、映像信号にもとづく映像を表示させる映像及び音声用の中継装置をいう。
また、ＷＥＢチューナは、撮像装置で取り込まれた映像にもとづく映像通信信号を受信し、これをパケット化し、映像信号としてインタネットなどへ配信する機能を有している。
具体的には、セットトップボックス（Set  Top  Box）が有する機能、例えば、ケーブルテレビ放送や衛星放送、地上波テレビ放送（デジタル放送、アナログ放送）、ＩＰ放送（ブロードバンドＶＯＤ（Video  On  Demand）など）の放送信号を受信して、一般のテレビで視聴可能な信号に変換する機能を有することができる。【００９３】
（Ｉ）ＷＥＢチューナの構成
図２０に示すように、ＷＥＢチューナ２ａは、水晶発振器１０（１０−１〜１０−ｎ）と、クロック制御手段２０と、表示手段４０と、信号処理手段５０と、データ制御手段６０と、送受信手段７０と、無線ＬＡＮ送受信機２０１と、有線ＬＡＮ送受信コネクタ２０２と、映像信号入出力部２０３と、ＨＤＭＩ高画質端子２０４と、無線ＵＳＢ送受信機２０５と、有線ＵＳＢ送受信コネクタ２０６と、有線ＵＳＢ音声系端子コネクタ２０７と、音声入力端子２０８と、音声出力端子２０９と、アナログ音声制御部２１０と、ＩＰ音声復調部２１１とを有している。【００９４】
ここで、複数の水晶発振器１０（１０−１〜１０−ｎ）は、それぞれ周波数の異なるクロックＡ〜Ｄを生成し、クロック制御手段２０に供給する。
なお、本実施形態においては、水晶発振器１０を４つ有しているが、４つに限るものではなく、２つ、３つ、又は５つ以上有することもできる。【００９５】
クロック制御手段２０は、クロックＡ〜クロックＤのうちの一又は二以上のクロックを信号処理手段５０に供給する。
送受信手段７０の送信部７１０は、データ制御手段６０からの混合信号をパケット化し、このパケットを送信信号として送出する。この送信信号は、無線ＬＡＮ送受信機２０１又は有線ＬＡＮ送受信コネクタ２０２を介して、ＬＡＮに接続された他の装置へ送信される。【００９６】
ＩＰパケット（Internet  Protocol  Packet）は、ヘッダ部と、データ部とを有している。
ヘッダ部は、バージョン、ヘッダ長、サービスタイプ、データグラム長、ＩＤ、送信元ＩＰアドレス、送信先ＩＰアドレスなどにより構成される部分である。
データ部は、送信したいデータをのせる部分である。混合信号は、このデータ部にのせることができる。【００９７】
無線ＬＡＮ送受信機２０１は、無線通信により、無線ＬＡＮを構成する他の装置との間でデータを送受信する。
無線ＬＡＮには、ＩＥＥＥ８０２．１１諸規格に準拠した機器で構成されるネットワークを含む。
そして、本実施形態のＷＥＢチューナ２ａは、無線ＬＡＮの端末に位置することができる。【００９８】
無線ＬＡＮ送受信機２０１の具体例としては、例えば、無線ＬＡＮカード（無線ＬＡＮアダプタ）などが挙げられる。
無線ＬＡＮカードとは、ＷＥＢチューナ２ａのＵＳＢポート（図示せず）などに差し込んで無線ＬＡＮに接続する機能を提供する拡張カードをいう。また、無線ＬＡＮカードには、有線ＬＡＮインタフェースしか持たないＷＥＢチューナ２ａの通信を無線化するメディアコンバータ製品などを含む。
なお、無線ＬＡＮ送受信機２０１は、例えば、通信モデム（無線ＬＡＮモデム，ＡＤＳＬ及び光モデム）として設けることができる。【００９９】
有線ＬＡＮ送受信コネクタ２０２は、外部端子として、ＬＡＮ用のケーブルが接続されるコネクタ（受け側端子）である。ＬＡＮ用のケーブルには、例えば、より対線、同軸ケーブル、光ファイバーなどがある。このＬＡＮ用ケーブルの一方のコネクタ（差込端子）は、この有線ＬＡＮ送受信コネクタ２０２（受け側端子）に接続され、他方のコネクタ（差込端子）は、ハブ、あるいは、同じ建物の中にあるコンピュータやプリンタなどと接続され、これらの間でデータのやりとりを行うことができる。【０１００】
送受信手段７０の受信部７２０は、無線ＬＡＮ送受信機２０１，有線ＬＡＮ送受信コネクタ２０２，または混合器７３０（図１参照）からのＩＰパケットを受信信号として受信し、このＩＰパケットのデータ部から混合信号を取り出してデータ制御手段６０へ送る。
映像信号入出力部２０３は、ＨＤＭＩ高画質端子２０４を介して入力された映像データを信号処理手段５０へ送る。また、映像信号入出力部２０３は、信号処理手段５０で生成された映像データを、ＨＤＭＩ高画質端子２０４を介して外部装置へ送る。【０１０１】
ＨＤＭＩ高画質端子２０４は、ＨＤＭＩ（High-Definition  Multimedia  Interface）を用いて映像データや音声データの送受信を行う端子である。
ＨＤＭＩとは、主に家電やＡＶ機器向けのデジタル映像・音声入出力インタフェース規格をいう。１本のケーブルで映像・音声・制御信号を合わせて送受信するので、取り回しが容易になっている。オプションで制御信号を双方向に伝送させることができ、機器間を中継させることで１台のリモコンから複数のＡＶ機器を制御できるようになっている。
このＨＤＭＩ高画質端子２０４には、図２１に示すように、例えば、大型モニタ（表示装置）３などを接続することができる（画像伝送システムＡ１）。【０１０２】
表示手段４０は、液晶表示画面を有しており、この液晶表示画面上に、複数のキーを表示したり、映像データにもとづく映像を表示したりすることができる。ここで、ユーザが、表示手段４０に表示されたキーを押す（選択する）ことで、該ＷＥＢチューナ２ａの有する機能に関する種々の設定操作を行うことができる。つまり、表示手段４０は、入力操作部としての機能を有している。なお、この入力操作部には、液晶表示画面に表示されない物理的なスイッチを含むことができる。
また、表示手段４０は、リモートコントローラとして、ＷＥＢチューナ２ａの本体から分離独立した構成とすることもできる。この場合、ＷＥＢチューナ２ａの本体とリモートコントローラのそれぞれに、信号の送受信手段が設けられる。【０１０３】
無線ＵＳＢ送受信機２０５は、無線ＵＳＢ通信が可能な機器や装置（映像処理装置）との間で、映像データなどを送受信することができる。
無線ＵＳＢ（Wireless  ＵＳＢ（Universal  Serial  Bus））とは、超広帯域を用いる無線技術であるＵＷＢ（Ultra  Wide  Band）を応用し、また、物理層やＭＡＣ層にはＭＢ−ＯＦＤＭ方式を採用して、ＵＳＢを拡張した技術・規格をいう。
映像処理装置は、映像に関する機能（例えば、撮像（撮影）、記録、加工（編集，分割，合成等）、表示、外部入出力（送信・受信）などの機能）を一又は二以上有した装置であって、例えば、パーソナルコンピュータ、デジタルカメラ、デジタルビデオ、ディスクプレーヤ・レコーダ（ＣＤ、ＭＤ、ＤＶＤ等）、ビデオデッキ、携帯電話機、ＰＨＳ、ＰＤＡなどが含まれる。【０１０４】
また、無線ＵＳＢ送受信機２０５には、図２２に示すように、ニュースカメラ（撮影装置）５を接続することができる（画像伝送システムＡ２）。さらに、無線ＵＳＢ送受信機２０５には、図２３に示すように、テレビ会議システムＡ３を構成するテレビ会議ユーザシステム６のユーザ側管理装置６６を接続することもできる（画像伝送システムＡ３）。【０１０５】
有線ＵＳＢ送受信コネクタ２０６は、外部端子として、ＵＳＢ用ケーブルが接続されて、映像処理装置との間で映像データの送受信を行う。
ＵＳＢ用ケーブルの規格としては、例えば、High／Full  Speed用と、Low  Speed用がある。また、ＵＳＢ用ケーブルの両端は、Ａ端子，Ｂ端子，ミニＵＳＢ端子などが用いられる。【０１０６】
なお、本実施形態において、無線ＬＡＮ送受信機２０１，有線ＬＡＮ送受信コネクタ２０２，ＨＤＭＩ高画質端子２０４，無線ＵＳＢ送受信機２０５，有線ＵＳＢ送受信コネクタ２０６は、映像データを所定の装置（映像処理装置など）へ送ることから「送出手段」としての機能を有している。
また、本実施形態において、無線ＬＡＮ送受信機２０１，有線ＬＡＮ送受信コネクタ２０２，ＨＤＭＩ高画質端子２０４，無線ＵＳＢ送受信機２０５，有線ＵＳＢ送受信コネクタ２０６は、所定の装置（映像処理装置など）から映像データを入力することから「受入手段」としての機能を有している。【０１０７】
有線ＵＳＢ音声系端子コネクタ２０７は、ＵＳＢ用ケーブルを介して音声系ネットワークと接続される端子であって、音声系ネットワークから送信されてきた音声信号をＩＰ音声復調部２１１へ送る。また、有線ＵＳＢ音声系端子コネクタ２０７は、ＩＰ音声復調部２１１からの音声信号を、ＵＳＢ用ケーブルを介して、音声系ネットワークに接続された装置へ送信する。
音声系ネットワークとは、例えば、ＶｏＩＰ（Voice  over  Internet  Protocol）を用いて、音声を各種符号化方式で圧縮し、パケットに変換した上でリアルタイム伝送する、ＩＰ（Internet  Protocol）ネットワークをいう。【０１０８】
音声入力端子２０８は、外部から音声信号を入力してアナログ音声制御部２１０へ送る。
音声出力端子２０９は、アナログ音声制御部２１０からの音声信号を外部へ出力する。
アナログ音声制御部２１０は、音声入力端子２０８からの音声信号を所定の音声信号に変換してＩＰ音声復調部２１１へ送る。また、アナログ音声制御部２１０は、ＩＰ音声復調部２１１からの音声信号を所定の音声信号に変換し、音声出力端子２０９から外部へ出力する。【０１０９】
ＩＰ音声復調部２１１は、有線ＵＳＢ音声系端子コネクタ２０７又はアナログ音声制御部２１０から送られてきた音声信号を復調する。そして、この復調した音声信号、及び、アナログ音声制御部２１０から送られてきた音声信号を、映像及び通信信号合成部２１２へ送る。
また、ＩＰ音声復調部２１１は、映像及び通信信号分離部２１３から送られてきた音声信号を、有線ＵＳＢ音声系端子コネクタ２０７又はアナログ音声制御部２１０へ送り、外部出力させる。【０１１０】
信号処理手段５０は、図２０に示すように、分割部５１０と、送信ブロック処理部５２０と、Ａ／Ｄ変換部５３０と、Ｄ／Ａ変換部５４０と、受信ブロック処理部５５０と、合成部５６０と、映像及び通信信号合成部２１２と、映像及び通信信号分離部２１３と、映像記憶部２１４と、表示制御部２１５とを有している。
分割部５１０は、映像信号入出力部２０３，無線ＵＳＢ送受信機２０５，有線ＵＳＢ送受信コネクタ２０６から送られてきた映像データ、あるいは、映像記憶部２１４から取り出した映像データを分割する。
映像及び通信信号合成部２１２は、分割部５１０からの分割データに、ＩＰ音声復調部２１１から送られてきた音声信号を合成する。【０１１１】
受信ブロック処理部５５０は、Ｄ／Ａ変換部５４０から送られてきたアナログ伝送信号からブロックデータとクロックとを分離する。
映像及び通信信号分離部２１３は、受信ブロック処理部５５０からのブロックデータから音声信号を分離し、ＩＰ音声復調部２１１へ送る。
合成部５６０は、音声信号が分離された後のブロックデータを映像及び通信信号分離部２１３から複数受け取ると、これら複数のブロックデータを合成する。この合成された映像データは、映像記憶部２１４へ送られて記憶される。【０１１２】
映像記憶部２１４は、無線ＬＡＮ送受信機２０１又は有線ＬＡＮ送受信コネクタ２０２を介して入力された映像データ、映像信号入出力部２０３，無線ＵＳＢ送受信機２０５，有線ＵＳＢ送受信コネクタ２０６から送られてきた映像データ、分割部５１０で分割処理された映像データ（分割データ）、合成部５６０で合成された映像データなどを記憶する。また、それらの他、音声信号やテキストデータなどを記憶することもできる。
表示制御部２１５は、映像記憶部２１４から映像データを取り出し、表示手段４０へ送って、その映像データにもとづく映像を画面表示させる。また、表示手段４０での操作内容にもとづいて、ＷＥＢチューナ２ａの他の構成要素に所定の動作を実行させる。さらに、表示制御部２１５は、合成部５６０で合成された映像データを、映像信号入出力部２０３を介してＨＤＭＩ高画質端子２０４から外部出力させることができる。【０１１３】
なお、信号処理手段５０は、マイクロフォン５２で入力されたユーザの発声音に対応した音声信号や、データ入出力マルチコネクタ（図示せず）を介するなどして外部から供給されたデータ信号（例えば、画像、文字等を表す）をデータ制御手段６０に供給することができる。
また、信号処理手段５０は、データ制御手段６０から供給されてきた伝送信号に対する処理を行なう。例えば、データ制御手段６０から供給されてきたデジタル信号が音声に係るものであれば、信号処理手段５０は、そのデジタル信号をアナログ音声信号に変換し、その音声信号をスピーカ５１に供給して出力させる。また、そのデジタル信号がデータ（例えば、画像、文字等を表す）に係るものであれば、信号処理手段５０は、そのデジタル信号をアナログデータ信号に変換し、あるいは、デジタル信号としてそのまま表示手段４０又は外部へ供給する。
さらに、データ制御手段６０は、第一実施形態の通信装置におけるデータ制御手段６０ａと同様の機能を有している。【０１１４】
ＷＥＢチューナをこのような構成とすると、映像データを分割し、この分割後の映像データのそれぞれに周波数の異なるクロックＡ、Ｂ、Ｃ、Ｄを付加し、Ａ／Ｄ変換し、このデジタル信号をＩＰパケットのデータ部にのせて、送信することができる。
映像データを４つに分割して送信することから、データ圧縮が不要となる。このため、解凍による画質の低下を防止できる。また、圧縮処理や解凍処理の時間を省略して、映像データの高速通信を実現できる。【０１１５】
（II）画像伝送システム（通信システム）
次に、本実施形態のＷＥＢチューナを用いた画像伝送システムの構成について、図２１〜図２４を参照して説明する。
ＷＥＢチューナ２ａには、様々な装置を接続することができる。
例えば、図２１に示すように、ＷＥＢチューナ２ａのＨＤＭＩ高画質端子２０４に、大型モニタ（表示装置）３を接続することができる。また、インタネットを介して無線ＬＡＮ送受信機２０１（又は有線ＬＡＮ送受信コネクタ２０２）をＩＰ放送局の映像配信装置４に接続することができる（画像伝送システムＡ１）。【０１１６】
これにより、映像配信装置４から送信されてきた番組映像（映像通信信号）をＷＥＢチューナ２ａが受信し、これを映像信号として出力し、大型モニタ３がその映像信号を入力し、この映像信号にもとづく映像を表示することができる。
なお、ＩＰ放送（ＷＥＢ放送）は、インタネットを介して放送映像や音声を送受信し、普通のテレビで視聴できるようにしたものをいう。【０１１７】
また、図２２に示すように、図２１の構成に加えて、新たにＷＥＢチューナ（第一のＷＥＢチューナ）２ａ−２を備え、このＷＥＢチューナ２ａ−２の無線ＵＳＢ送受信機２０５に、ニュースカメラ（カメラ装置）５を接続し、無線ＬＡＮ送受信機２０１（又は有線ＬＡＮ送受信コネクタ２０２）にインタネットを接続することができる（画像伝送システムＡ２）。
これにより、ニュースカメラ５で撮影された撮影対象の画像が撮影画像信号としてＷＥＢチューナ２ａ−２で受信され、その撮影画像信号が、インタネットを介して映像配信装置４へ送信される。さらに、インタネットを介して映像配信装置４からＷＥＢチューナ（第二のＷＥＢチューナ）２ａ−１へ映像通信信号が送信される。そして、その映像通信信号にもとづく映像信号が、第一のＷＥＢチューナ２ａ−１から大型モニタ３へ送られ、その映像信号にもとづく映像が表示される。【０１１８】
このような処理によれば、本実施形態のＷＥＢチューナが圧縮処理を行わないことから、映像の高速配信が可能となり、ニュースのライブ映像を、リアルタイムに視聴できる。
なお、画像伝送システムＡ２による映像配信は、無線ＬＡＮ広域システムを用いて実施できる。
無線ＬＡＮ広域システムは、屋外でインタネットに無線通信で接続できる公衆無線ＬＡＮ（構内情報通信網）をいう。【０１１９】
さらに、図２３に示すように、ＷＥＢチューナ２ａの無線ＵＳＢ送受信機２０５（又は、有線ＵＳＢ送受信コネクタ２０６）に、テレビ会議システムのテレビ会議ユーザシステム６を接続することができる（画像伝送システムＡ３）。
テレビ会議システムは、離れた場所にいる人同士が、インタネット回線を通じて、モニタの画面上で、顔を見ながらコミュニケーションがとれる装置をいう。
そして、テレビ会議システムを構成するテレビ会議管理装置（映像配信装置）７がインタネットに接続されている。【０１２０】
ここで、テレビ会議ユーザシステム６は、ユーザを撮影するカメラ装置６１、所定の映像を表示する表示装置６２、ユーザが操作するキーボード６３及びマウス６４、ユーザの音声を取り込むマイク６５、テレビ会議ユーザシステム６で扱う各種信号を管理するユーザ側管理装置６６を備えている。
カメラ装置６１で撮影されたユーザの映像が撮影画像信号としてユーザ側管理装置６６へ送られる。ユーザ側管理装置６６は、マイク６５で取り込まれた音声信号とともに、撮影画像信号をＷＥＢチューナ２ａへ送る。ＷＥＢチューナ２ａは、その撮影画像信号を、インタネットを介してテレビ会議管理装置７へ送信する。テレビ会議管理装置７は、複数のＷＥＢチューナ２ａから受信した撮影画像信号や音声信号を記憶するとともに、各ＷＥＢチューナ２ａへ配信する。ＷＥＢチューナ２ａは、配信されてきた撮影画像信号及び音声信号をユーザ側管理装置６６へ送る。ユーザ側管理装置６６は、撮影画像信号を表示装置６２へ送る。これにより、表示装置６２は、その撮影画像信号にもとづく映像を表示する。また、ユーザ側管理装置６６は、音声信号をスピーカ（図示せず）へ送って音声出力させる。【０１２１】
このような構成により、ＷＥＢチューナ２ａにてクロック制御による映像信号の多重伝送が実行されるため、カメラ装置６１で撮影された映像をリアルタイムに他のテレビ会議ユーザシステム６の表示装置６２に表示させることができる。【０１２２】
また、図２４に示すように、大型モニタ３，テレビ会議ユーザシステム６，パーソナルコンピュータ８など、一度に多数の映像処理装置を接続した構成とすることもできる（画像伝送システムＡ４）。
このように、本実施形態のＷＥＢチューナは、多目的に使うことができる。【０１２３】
（III）通信方法
次に、本実施形態のＷＥＢチューナの動作（通信方法）について、図２５、図２６を参照して説明する。
図２５は、本実施形態の通信方法のうち送信方法の処理手順を示すフローチャートである。図２６は、本実施形態の通信方法のうち受信方法の処理手順を示すフローチャートである。【０１２４】
（III−１）送信方法
複数の水晶発振器１０は、それぞれ異なる周波数のクロックを発振している（図２５のステップ６０）。
ニュースカメラ５などの映像処理装置は、映像を取り込むと（撮像、ステップ６１）、これを映像データとして、ＷＥＢチューナ２ａへ送る。
ＷＥＢチューナ２ａの無線ＵＳＢ送受信機２０５（又は、有線ＵＳＢ送受信コネクタ２０６）は、映像データを入力し、信号処理手段５０へ送る。このときの映像データは、図３（ｉ）に示すように、一面（全画像）を表すものである。この映像データは、信号処理手段５０の映像記憶部２１４に記憶される。【０１２５】
次いで、分割部５１０は、図３（iii）に示すように、その映像データを複数（本実施形態においては、４つ）の領域に対応して分割する（ステップ６２）。分割後の映像データは、分割データとして映像記憶部２１４に記憶される。
送信ブロック処理部５２０は、映像記憶部２１４から分割データを取り出す。
ここで、ＩＰ音声復調部２１１に音声信号が入力されているときは、映像及び通信信号合成部２１２は、音声信号を送信ブロック処理部５２０へ送る。【０１２６】
次いで、送信ブロック処理部５２０は、分割データ（音声信号が入力されたときは、この音声信号を含む）を所定のデータ量に分けてブロックデータを生成する（ブロック化、ステップ６３）。
続いて、送信ブロック処理部５２０は、そのブロックデータを対応するステージの信号枠に収める。さらに、送信ブロック処理部５２０は、その信号枠に、ステージに対応するクロックを付加する（ステップ６４）。これら信号枠に収められたブロックデータとこれに付加されたクロックとをアナログ伝送データとして、Ａ／Ｄ変換部５３０へ送る。
Ａ／Ｄ変換部５３０は、アナログ伝送データをデジタル変換する（ステップ６５）。このデジタル変換したデータをデジタル信号としてデータ制御手段６０へ送る。【０１２７】
データ制御手段６０の送信信号補正部６１０は、デジタル信号を保持する（ステップ６６）。
混合器６２０は、送信信号補正部６１０からデジタル信号を取り出して混合し（ステップ６７）、混合信号として送信部７１０へ送る。
送信部７１０は、混合信号をＩＰパケットのデータ部にのせ（パケット化、ステップ６８）、これを送信信号として、無線ＬＡＮ送受信機２０１又は有線ＬＡＮ送受信コネクタ２０２を介して、インタネット（又は、これに接続された装置）へ送信する（ステップ６９）。【０１２８】
（III−２）受信方法
ＷＥＢチューナ２ａの無線ＬＡＮ送受信機２０１（又は、有線ＬＡＮ送受信コネクタ２０２）は、インタネットを介して、他の装置から送信されてきたＩＰパケットを受信する（図２６のステップ７０）。
送受信手段７０の受信部７２０は、そのＩＰパケットを無線ＬＡＮ送受信機２０１（又は、有線ＬＡＮ送受信コネクタ２０２）から受け取る。
受信部７２０は、ＩＰパケットのデータ部から混合信号を取り出し（ステップ７１）、この混合信号をデータ制御手段６０へ送る。【０１２９】
データ制御手段６０の分波器６３０は、混合信号を分波し（ステップ７２）、デジタル信号として受信信号補正部６４０へ送る。
受信信号補正部６４０は、デジタル信号を記憶・保持する（ステップ７３）。
ここで、データ信号１が到着してからデータ信号４が到着するまでは、データ信号１、２，３が順に受信信号補正部６４０に保持（チェーン）される。そして、時差的コールドで構成し、３０又は６０画像フレームを四枚一組で構成する。【０１３０】
信号処理手段５０のＤ／Ａ変換部５４０は、受信信号補正部６４０からデジタル信号を取り出し、アナログ変換し（ステップ７４）、アナログ伝送信号として受信ブロック処理部５５０へ送る。
受信ブロック処理部５５０は、アナログ伝送信号からブロックデータとクロックとを分け（ブロックデータの取り出し、ステップ７５）、これらブロックデータとクロックとを合成部５６０へ送る。
なお、ここで、ブロックデータの中に音声データがあるときは、その音声データは、映像及び通信信号分離部２１３及びＩＰ音声復調部２１１を介して有線ＵＳＢ音声系端子コネクタ２０７又は音声出力端子２０９へ送られる。【０１３１】
合成部５６０は、クロックの周波数にもとづいて、ブロックデータを合成し（ステップ７６）、映像記憶部２１４へ送る。
表示制御部２１５は、合成データを映像信号入出力部２０３へ送る。映像信号入出力部２０３は、ＨＤＭＩ高画質端子２０４を介して、表示装置３へ合成データを送り、その合成データにもとづく映像を表示装置３に表示させる（ステップ７７）。
ここで、表示制御部２１５は、映像記憶部２１４に記憶された合成データを取り出して、表示手段４０へ送り表示させることもできる。【０１３２】
なお、本実施形態においては、データ制御手段６０の混合器６２０がデジタル信号を混合して混合信号を生成することとしているが、混合器６２０による混合処理は、省略することができる。
また、本実施形態においては、データ制御手段６０の分波器６３０がＩＰパケットに含まれていたデジタル信号を分波することとしているが、分波器６３０による分波処理は、省略することができる。【０１３３】
これらの場合、送信信号補正部６１０に記憶された複数のデジタル信号は、送信部７１０へ送られ、それぞれ別個のＩＰパケットのデータ部にのせられる。受信側のＷＥＢチューナでは、複数のＩＰパケットを受信部７２０が受信し、分波器６３０による分波は行われず、複数のＩＰパケットのそれぞれからデジタル信号が取り出されて受信信号補正部６４０に記憶される。Ｄ／Ａ変換部５４０では、デジタル信号がアナログ伝送信号に変換され、合成部５６０では、複数のアナログ伝送信号から取り出されたクロックの各周波数にもとづいて、同じく複数のアナログ伝送信号から取り出したブロックデータを並べて画像を形成する。【０１３４】
以上のように、本実施形態の通信装置及び通信方法によれば、映像データを分割し、この分割後の映像データをそれぞれブロック化し、クロックを付加してデジタル符号化し、これをパケット化して送信するため、圧縮処理及び解凍処理が不要となり、映像の高速通信を実現できる。また、画質の低下を防止できる。【０１３５】
［通信装置及び通信方法の第四実施形態］
次に、本発明の通信装置及び通信方法の第四実施形態について、図２７を参照して説明する。
同図は、本実施形態の通信装置であるＷＥＢチューナの構成を示すブロック図である。
本実施形態は、第一実施形態と比較して、通信装置がＷＥＢチューナに搭載されている点、このＷＥＢチューナが映像処理装置として撮像装置を複数有している点が相違する。他の構成要素は第一実施形態と同様である。
したがって、図２７において、図１と同様の構成部分については同一の符号を付して、その詳細な説明を省略する。【０１３６】
図２７に示すように、ＷＥＢチューナ２ｂは、撮像装置３０−１〜３０−４と、第一バッファ処理部１０１と、第二バッファ処理部１０２と、クロック制御手段２０と、信号処理手段５０と、データ制御手段６０と、画像シリアルデータ処理部１０３とを有している。
ここで、撮像装置３０−１〜３０−４は、例えば、ＣＣＤカメラを用いることができる。
ＣＣＤカメラは、ＣＣＤ（Charge  Coupled  Device）を用いて被写体を撮影する装置である。ＣＣＤとは、フォトダイオードに蓄積した電荷を、転送ＣＣＤを使って出力回路に次々転送して読み出す撮像素子をいう。
そして、本実施形態においては、図２８に示すように、ＣＣＤカメラが四台備えられている。各ＣＣＤカメラは、四分割された被写体のそれぞれに割り当てられている。つまり、一つのＣＣＤカメラは、被写体のうち、一つのコーナーセグメントを割り当てられている。【０１３７】
第一バッファ処理部１０１は、各撮像装置３０−１〜３０−４で取り込まれた映像を映像信号としてダイレクト入力し、ストック（保持）する。
第二バッファ処理部１０２は、無線ＵＳＢ送受信機２０５，有線ＵＳＢ送受信コネクタ２０６，ＨＤＭＩ高画質端子２０４（映像信号入出力部２０３）から入力した信号（映像信号、多重データ）をストックする。
クロック制御手段２０は、通信装置１のクロック制御手段２０に相当する（図１参照）。
なお、本実施形態のＷＥＢチューナ２ｂは、水晶発振器１０（１０−１〜１０−ｎ）を備えているが、図２７及び図２９（後述）においては、省略してある。【０１３８】
信号処理手段５０は、通信装置１の信号処理手段５０ａに相当する（図１参照）。
ただし、信号処理手段５０は、カラー３原色にもとづく分離処理を実行することができる。例えば、第一バッファ処理部１０１又は第二バッファ処理部１０２から入力した映像信号を、Ｒｅｄ，Ｇｒｅｅｎ，Ｂｌｕｅ，Ｂｌａｃｋの四つの色に分離する。
ここで、分離する色を光の３原色（Ｒ，Ｇ，Ｂ）にしたのは、光の３原色を混色することで他の色（中間色）を作り出すことができるためである。また、光の３原色は、すべてを混色すると白（Ｗｈｉｔｅ）になるため、明度を調整するためにＢｌａｃｋを加える。
このように、映像信号をカラー３原色で分離し、図１３及び図１４に示す処理手順にしたがって、例えば、Redをデジタル信号１、Greenをデジタル信号２、Blueをデジタル信号３、Blackをデジタル信号４として送信信号を生成し伝送することで、クロスカラーがなく画質劣化の少ない高画質の映像が得られる。【０１３９】
データ制御手段６０は、第一実施形態の通信装置１ａのデータ制御手段６０ａに相当する。また、混合器６２０は、第一実施形態の通信装置１ａの混合器６２０に相当する。
画像シリアルデータ処理部１０３は、ＷＥＢチューナ２ａの無線ＬＡＮ送受信機２０１又は有線ＬＡＮ送受信コネクタ２０２に相当する。【０１４０】
なお、本実施形態は、第一実施形態と比較して、映像処理装置である撮像装置を複数備えた点と、映像信号を光の３原色にもとづいて分離する点で相違する。このため、本実施形態の通信方法は、映像データを複数取り込む点と映像信号を光の３原色にもとづいて分離する点以外は、第一実施形態における通信方法と同様である。【０１４１】
以上説明したように、本実施形態の通信装置及び通信方法によれば、映像信号を分割し、この分割後の映像データをそれぞれ複数のクロックにもとづいて多重化通信することができる。これにより、映像の高速通信を実現でき、リアル画像でのライブ配信が可能となる。【０１４２】
なお、図２７に示すＷＥＢチューナ２ｂでは、映像処理装置として撮像装置を接続した構成としたが、これに限るものではなく、例えば、図２９に示すように、第一バッファ処理部１０１に、カラーテレビカメラ、映像記録装置（ＶＴＲ、ＤＶＤ等）、その他の映像機器を接続することもでき、さらに、その他の多重データを入力するようにすることもできる。【０１４３】
［通信装置及び通信方法の第五実施形態］
次に、本発明の通信装置及び通信方法の第五実施形態について説明する。
本実施形態の通信装置は、携帯電話機である。この携帯電話機は、第一〜第二実施形態の通信装置を搭載することができる。
この携帯電話機の構成は、図１に示す構成と同様である。
また、携帯電話機の動作については、図１３、図１４と同様である。
このような構成により、携帯電話機は、容量の大きい画像データであっても、分割し、ブロック化し、クロックを付加して混合し、１回線で通信することができる。これにより、高速通信が可能となる。【０１４４】
［送信機、受信機の実施形態］
（Ｉ）送信機、受信機
次に、送信機と受信機の実施形態について説明する。
前述した通信装置の実施形態においては、送信機能と受信機能の両方を一台に備えた通信装置について説明したが、両方備えることに限るものではなく、それら各機能の一方のみを備えた送信機又は受信機とすることもできる。
つまり、本実施形態の送信機又は受信機は、前述した各実施形態における通信装置の一部を有していることから、図３０〜図３３において、図１と同様の構成部分については同一の符号を付して、その詳細な説明を省略する。【０１４５】
例えば、図３０に示すように、送信機１１０は、水晶発振器１０（１０−１〜１０−ｎ）と、クロック制御手段２０と、撮像手段３０と、信号処理手段（送信機能）５０ｂと、データ制御手段（送信機能）６０ｂと、送信部７１０と、アンテナ８０とを備えている。
ここで、信号処理手段５０ｂは、図３１に示すように、分割部５１０と、送信ブロック処理部５２０と、Ａ／Ｄ変換部５３０とを有している。
データ制御手段６０ｂは、混合器６２０を有している。このデータ制御手段６０ｂは、送信信号補正部６１０を有することもできる。
この送信機１１０の動作（送信方法）は、図１３に示す処理手順と同様である。【０１４６】
また、図３２に示すように、受信機１２０は、水晶発振器１０（１０−１〜１０−ｎ）と、クロック制御手段２０と、表示手段４０と、信号処理手段（受信機能）５０ｃと、データ制御手段（受信機能）６０ｃと、受信部７２０と、アンテナ８０とを備えている。
ここで、信号処理手段５０ｃは、図３３に示すように、Ｄ／Ａ変換部５４０と、受信ブロック処理部５５０と、合成部５６０とを有している。
データ制御手段６０ｃは、分波器６３０を有している。このデータ制御手段６０ｃは、受信信号補正部６４０を有することもできる。
この受信機１２０の動作（受信方法）は、図１４に示す処理手順と同様である。【０１４７】
このような構成によれば、送信機である通信装置は、撮像データを分割し、一つの分割データを伝送可能なデータ量とすることで、圧縮処理を省略できる。これにより、撮像データの高速配信が可能となる。
一方、受信機である通信装置は、クロックの周波数にもとづいてブロックデータを合成し、撮像データにもとづく画像を画面表示することができる。これにより、解凍処理が不要となることから、画像の高速表示が可能となるとともに、画質の低下を防止できる。【０１４８】
［通信システムの第一実施形態］
次に、通信システムの第一実施形態について、図３４を参照して説明する。
同図は、本実施形態の通信システムの構成を示す図である。【０１４９】
図３４に示すように、本実施形態の通信システム９ａは、通信装置（送信側）１ｓ１（１ｓ１１〜１ｓ１ｎ）と、通信装置（受信側）１ｒ１（１ｒ１１〜１ｒ１ｎ）と、基地局３００の中継装置３１０とを備えている。
通信装置（送信側）１ｓ１は、基地局３００を介して通信装置（受信側）１ｒ１へ電波（送信信号）を送信する。
一つの基地局３００に対しては、一又は二以上の通信装置（送信側）１ｓ１が通信可能となっている。
一又は二以上の通信装置（送信側）１ｓ１のそれぞれは、前述した第一、第二、第五実施形態の通信装置１ａ、１ｂのいずれかからなる。すなわち、通信装置（送信側）１ｓ１は、アナログデータである映像データを通信回線のキャリア幅に応じて分割し、これをブロック化し、クロックを付加し、それらをデジタル符号化し、これにより搬送波を変調して送信する。なお、通信装置（送信側）１ｓ１に代えて、図３５に示すように、送信機１１０を用いることもできる。【０１５０】
通信装置（受信側）１ｒ１は、基地局３００を介して通信装置（送信側）１ｓ１から送信されてきた電波（送信信号）を受信する。
一つの基地局３００に対しては、一又は二以上の通信装置（受信側）１ｒ１が通信可能となっている。
一又は二以上の通信装置（受信側）１ｒ１のそれぞれは、前述した第一、第二、第五実施形態の通信装置１ａ、１ｂのいずれかからなる。すなわち、通信装置（受信側）１ｒ１は、電波を復調し、アナログ変換し、ブロックデータとクロックとに分け、ブロックデータを合成し、これを映像データとして表示する。なお、通信装置（受信側）１ｒ１に代えて、図３５に示すように、受信機１２０を用いることもできる。【０１５１】
基地局３００とは、通信装置（送信側）１ｓ１と通信装置（受信側）１ｒ１との間で無線通信を行うための、装置及び付随する建造物とその設置場所の一式をいう。
中継装置３１０は、基地局３００に備えることができ、基地局３００のアンテナ３２０で受信された電波を受けるとともに、その電波を電話網（図示せず）へ送る。また、電話網からの電波を、アンテナ３２０を介して送信する。【０１５２】
なお、中継装置３１０は、本実施形態においては、基地局３００に備えることとしたが、基地局３００に備えることに限るものではなく、例えば、基地局３００が設けられていないところで、通信装置（送信側）１ｓ１と通信装置（受信側）１ｒ１との間の中継用装置として備えることができる。また、中継装置３１０は、基地局３００と通信装置１ｓ１、１ｒ１との間の中継用装置として備えることができる。
さらに、通信装置（送信側）１ｓ１における送信処理は、図１３に示す処理手順と同様である。また、通信装置（受信側）１ｒ１における受信処理は、図１４に示す処理手順と同様である。【０１５３】
以上説明したように、本実施形態の通信システムによれば、送信側の通信装置が、伝送路のキャリア幅に応じて映像データを分割し、これを複数のブロックデータとして送信し、受信側の通信装置が、それら複数のブロックデータを合成して表示するため、圧縮処理や解凍処理が不要となり、この圧縮に要する時間だけ短縮することができる。これにより、通信装置間の映像データの送受信を高速に行うことができる。【０１５４】
［通信システムの第二実施形態］
次に、通信システムの第二実施形態について、図３６、図３７を参照して説明する。
図３６は、本実施形態の通信システムの構成を示す図である。図３７は、通信システムに備えられた中継装置の構成を示すブロック図である。【０１５５】
本実施形態は、第一実施形態の通信システムと比較して、受信側の通信装置１ｒ２がアナログデータの合成機能を備えていない点が相違する。他の構成要素は第一実施形態と同様である。
したがって、図３６において、図３４と同様の構成部分については同一の符号を付して、その詳細な説明を省略する。【０１５６】
図３６に示すように、本実施形態の通信システム９ｃは、送信側の通信装置１ｓ１（１ｓ１１〜１ｓ１ｎ）と、受信側の通信装置１ｒ２（１ｒ２１〜１ｒ２ｎ）と、基地局３００の中継装置３１０とを備えている。【０１５７】
通信装置（送信側）１ｓ１は、基地局３００を介して通信装置（受信側）１ｒ１へ電波（送信信号）を送信する。
一つの基地局３００に対しては、一又は二以上の通信装置（送信側）１ｓ１が通信可能となっている。
一又は二以上の通信装置（送信側）１ｓ１のそれぞれは、前述した第一、第二、第五実施形態の通信装置１ａ、１ｂのいずれかからなる。すなわち、通信装置（送信側）１ｓ１は、アナログデータである映像データを通信回線のキャリア幅に応じて分割し、これをブロック化し、クロックを付加し、それらをデジタル符号化し、これにより搬送波を変調して送信する。なお、通信装置（送信側）１ｓ１に代えて、送信機１１０を用いることもできる。【０１５８】
通信装置（受信側）１ｒ２は、基地局３００を介して通信装置（送信側）１ｓ１から送信されてきた電波（送信信号）を受信する。一つの基地局３００に対しては、一又は二以上の通信装置（受信側）１ｒ２が通信可能となっている。
一又は二以上の通信装置（受信側）１ｒ２のそれぞれは、前述した第一、第二、第五実施形態の通信装置１ａ、１ｂ、及び受信機１ｄとは異なり、水晶発振器１０を一つしか有していない。このため、アナログデータに含まれるクロックがクロックＡ〜Ｄのいずれであるかを判別できない。【０１５９】
ただし、通信装置（受信側）１ｒ２は、通信装置１ｓ１から送信されてきた送信信号を受信すると、復調、分波、Ｄ／Ａ変換などの処理を行う。そして、通信装置（受信側）１ｒ２は、アナログデータから、クロックＡのみを検出し、クロックＢ〜クロックＤは検出しない。この場合、通信装置（受信側）１ｒ２は、クロックＢ〜クロックＤを破棄し、受信した順に、複数のブロックデータにもとづく各領域の画像を合成して画面表示する。【０１６０】
このような構成とすれば、送信側の通信装置が第一実施形態等の通信装置であって、受信側の通信装置が第一実施形態等の通信装置でない場合であっても、受信側の通信装置が複数のアナログデータの合成機能を有しているときには、受信した撮像データの画面表示が可能となる。
この場合でも、送信側の通信装置で圧縮処理が行われず、受信側の通信装置でも解凍処理が行われないことから、高速通信が可能となるとともに、画質の低下を防止できる。【０１６１】
以上、本発明の送信機、受信機、通信装置、通信システム、送信方法及び受信方法の好ましい実施形態について説明したが、本発明に係る送信機、受信機、通信装置、通信システム、送信方法及び受信方法は上述した実施形態にのみ限定されるものではなく、本発明の範囲で種々の変更実施が可能であることは言うまでもない。
例えば、上述した実施形態では、通信装置を備えた装置の例としてＷＥＢチューナと携帯電話機を示したが、通信装置を備える装置は、ＷＥＢチューナや携帯電話機に限定されるものではなく、無線通信又は有線通信により画像を送受信する装置や機器に備えることができる。【０１６２】
また、図６及び図７においては、ステージを四つ設けた構成を示したが、ステージは、四つに限るものではなく、例えば、図３７に示すように、八つあるいはそれ以上の数とすることができる。この場合、水晶発振器１０は、ステージの数と同数備えられる。クロックは、ステージの数と同数生成される。各クロックは、２．１ＭＨｚの整数倍（２．１ＭＨｚ〜１６．８ＭＨｚ）の周波数を有している。一つの画像は、ステージの数と同数の領域に分けられる。撮像データは、ステージの数と同数まで分割することができる。この分割データは、各ステージの信号枠に順次収められる。
【産業上の利用可能性】
【０１６３】
本発明は、送受信されるデータの構成に特徴のある発明であるため、データを送受信する装置や機器に利用可能である。
【図１】
2010073632.tif 000003
【図２】
2010073632.tif 000004
【図３】
2010073632.tif 000005
【図４】
2010073632.tif 000006
【図５】
2010073632.tif 000007
【図６】
2010073632.tif 000008
【図７】
2010073632.tif 000009
【図８】
2010073632.tif 000010
【図９】
2010073632.tif 000011
【図１０】
2010073632.tif 000012
【図１１】
2010073632.tif 000013
【図１２】
2010073632.tif 000014
【図１３】
2010073632.tif 000015
【図１４】
2010073632.tif 000016
【図１５】
2010073632.tif 000017
【図１６】
2010073632.tif 000018
【図１７】
2010073632.tif 000019
【図１８】
2010073632.tif 000020
【図１９】
2010073632.tif 000021
【図２０】
2010073632.tif 000022
【図２１】
2010073632.tif 000023
【図２２】
2010073632.tif 000024
【図２３】
2010073632.tif 000025
【図２４】
2010073632.tif 000026
【図２５】
2010073632.tif 000027
【図２６】
2010073632.tif 000028
【図２７】
2010073632.tif 000029
【図２９】
2010073632.tif 000030
【図３０】
2010073632.tif 000031
【図３１】
2010073632.tif 000032
【図３２】
2010073632.tif 000033
【図３３】
2010073632.tif 000034
【図３４】
2010073632.tif 000035
【図３５】
2010073632.tif 000036
【図３６】
2010073632.tif 000037
【図３７】
2010073632.tif 000038
【図２８】
2010073632.tif 000039
【国際調査報告】
2010073632.tif 000040
2010073632.tif 000041
2010073632.tif 000042
2010073632.tif 000043